(57)【要約】【課題】本発明は、管理装置が管理する複数の第一ネットワークノードの中から、他の管理装置が管理する第二ネットワークノードの運用情報を取得する第一ネットワークノードを指定できる通信システムを提供することを目的とする。【解決手段】本実施形態における通信システムは、複数の第一ネットークノードと、複数の第一ネットークノードを管理する管理装置と、管理装置と異なる他の管理装置が管理する第二ネットワークノードと、を有し、管理装置は、複数の第一ネットワークノードの中から、第二ネットワークノードの運用情報を取得する指定ネットワークノードを選択し、指定ネットワークノードは、運用情報を第二ネットワークノードから取得して、運用情報を管理装置に送信する。【選択図】図１
2014034115.tif 000002
【特許請求の範囲】
【請求項１】
複数の第一ネットークノードと、
前記複数の第一ネットークノードを管理する管理装置と、
前記管理装置と異なる他の管理装置が管理する第二ネットワークノードと、を有し、
前記管理装置が、前記複数の第一ネットワークノードの中から、前記第二ネットワークノードの運用情報を取得する指定ネットワークノードを選択し、
前記指定ネットワークノードが、前記運用情報を前記第二ネットワークノードから取得して、前記運用情報を前記管理装置に送信する、
ことを特徴とする通信システム。
【請求項２】
前記管理装置が、前記指定ネットワークノードに対して選択メッセージを送信し、
前記指定ネットワークノードが、前記選択メッセージを受信した場合、前記第二ネットワークノードの運用情報を前記管理装置に送信する、
ことを特徴とする請求項１に記載の通信システム。
【請求項３】
前記管理装置が、前記複数の第一ネットワークノードと前記第二のネットワークノードとの接続関係を示す接続情報を参照して、前記複数の第一ネットワークノードの中から、前記指定ネットワークノードを選択する、ことを特徴とする請求項１または２に記載の通信システム。
【請求項４】
前記第二ネットワークノードと前記指定ネットワークノードとの接続が削除された場合であって、
前記第二ネットワークノードと、前記複数の第一ネットワークノードのうち少なくとも一つの第一のネットワークノードと、が接続している場合、
前記管理装置が、前記第二ネットワークノードと接続している第一ネットワークノードの中から、前記指定ネットワークノードを新たに選択する、
ことを特徴とする請求項１乃至３のいずれか一項に記載の通信システム。
【請求項５】
前記指定ネットワークノードと前記管理装置との接続が切断された場合、
前記管理装置が、前記管理装置と接続している第一ネットワークノードの中から、新たに、指定ネットワークノードを選択する、ことを特徴とする請求項１乃至４のいずれか一項に記載の通信システム。
【請求項６】
複数の第一ネットワークノードを管理する管理装置であって、
前記複数の第一ネットワークノードの中から、前記管理装置と異なる他の管理装置が管理する第二ネットワークノードの運用情報を取得する指定ネットワークノードを選択する選択手段と、
前記指定ネットワークノードから、前記第二ネットワークノードの運用情報を受信する通信手段と、
を有することを特徴とする管理装置。
【請求項７】
管理装置が管理するネットワークノードであって、
当該ネットワークノードが、前記管理装置と異なる他の管理装置が管理する他のネットワークノードの運用情報を取得する指定ネットワークノードとして選択された場合、前記他のネットワークノードの運用情報を前記管理装置に送信する通信手段を有することを特徴とするネットワークノード。
【請求項８】
複数の第一ネットークノードと、前記複数の第一ネットークノードを管理する管理装置と、前記管理装置と異なる他の管理装置が管理する第二ネットワークノードと、を有するネットワークにおける通信方法であって、
前記管理装置が、前記複数の第一ネットワークノードの中から、前記第二ネットワークノードの運用情報を取得する指定ネットワークノードを選択し、
前記指定ネットワークノードが、前記第二ネットワークノードの運用情報を前記管理装置に送信し、
前記第二ネットワークノードの運用情報を、前記管理装置が受信する、
ことを特徴とする通信方法。
【請求項９】
複数の第一ネットワークノードを管理する管理装置としてコンピュータを機能させるプログラムであって、
前記複数の第一ネットワークノードの中から、前記管理装置と異なる他の管理装置が管理する第二ネットワークノードの運用情報を取得する指定ネットワークノードを選択する機能と、
前記指定ネットワークノードから、前記第二ネットワークノードの運用情報を受信する機能と、
を前記コンピュータに実現させることを特徴とするプログラム。
【請求項１０】
コンピュータに読み取り可能な情報記憶媒体であって、請求項９に記載のプログラムを記録する記録媒体。 
【発明の詳細な説明】
【技術分野】
【０００１】
本発明は、ネットワークノードの運用情報の収集に関する。
【背景技術】
【０００２】
セルラー方式に基づく移動通信システムにおいては、広域なエリアに多数の基地局が配置され、各基地局が、１から１０程度のセルと呼ばれる小ゾーンをカバーする。ここで、移動通信システムにおける基地局や端末による無線品質の測定値に基づき、自律的に基地局等のパラメータを変更する、Ｓｅｌｆ  Ｏｒｇａｎｉｚｉｎｇ  Ｎｅｔｗｏｒｋ  （ＳＯＮ）と呼ばれるシステムの規格化が、３ＧＰＰ  （３ｒｄ  Ｇｅｎｅｒａｔｉｏｎ  Ｐａｒｔｎｅｒｓｈｉｐ  Ｐｒｏｇｒａｍ）等の標準化団体においてすすめられている。【０００３】
ＳＯＮに関する規格が、例えば非特許文献１に記載されている。非特許文献１に記載の規格においては、ＳＯＮのユースケースとして、カバレッジ・容量の最適化（Ｃｏｖｅｒａｇｅ  ａｎｄ  ｃａｐａｃｉｔｙ  ｏｐｔｉｍｉｚａｔｉｏｎ）、省電力（Ｅｎｅｒｇｙ  Ｓａｖｉｎｇｓ）、干渉回避（Ｉｎｔｅｒｆｅｒｅｎｃｅ  Ｒｅｄｕｃｔｉｏｎ）、物理セル識別子の自動構成（Ａｕｔｏｍａｔｅｄ  Ｃｏｎｆｉｇｕｒａｔｉｏｎ  ｏｆ  Ｐｈｙｓｉｃａｌ  Ｃｅｌｌ  Ｉｄｅｎｔｉｔｙ）、移動ロバスト性の最適化（Ｍｏｂｉｌｉｔｙ  Ｒｏｂｕｓｔｎｅｓｓ  Ｏｐｔｉｍｉｚａｔｉｏｎ）、負荷分散（Ｍｏｂｉｌｉｔｙ  Ｌｏａｄ  Ｂａｌａｎｃｉｎｇ）、ランダムアクセスチャネルの最適化（ＲＡＣＨ  Ｏｐｔｉｍｉｚａｔｉｏｎ）、隣接セルリストの最適化（Ａｕｔｏｍａｔｉｃ  Ｎｅｉｇｈｂｏｒ  Ｒｅｌａｔｉｏｎ  Ｆｕｎｃｔｉｏｎ）などが挙げられている。【０００４】
また、非特許文献２には、ＬＴＥ（Ｌｏｎｇ  Ｔｅｒｍ  Ｅｖｏｌｕｔｉｏｎ）の規格に従う無線システムにおいて、ＳＯＮを実現するための機能配置の方法が以下のように分類されることが記載されている。【０００５】
（１）ＮＭ−Ｃｅｎｔｒａｌｉｚｅｄ  ＳＯＮ：ＳＯＮのアルゴリズムをＮｅｔｗｏｒｋ  Ｍａｎａｇｅｍｅｎｔレベルで実行。【０００６】
（２）ＥＭ−Ｃｅｎｔｒａｌｉｚｅｄ  ＳＯＮ：ＳＯＮのアルゴリズムをＥｌｅｍｅｎｔ  Ｍａｎａｇｅｍｅｎｔレベルで実行。【０００７】
（３）Ｄｉｓｔｒｉｂｕｔｅｄ  ＳＯＮ：ＳＯＮのアルゴリズムをＮｅｔｗｏｒｋ  Ｅｌｅｍｅｎｔレベルで実行。【０００８】
また、ＳＯＮのアルゴリズムを分割して、上記（１）、（２）、（３）のうち２階層以上にわたって実行する機能配置は、Ｈｙｂｒｉｄ  ＳＯＮと称されている。【０００９】
上記（１）の機能配置をとった場合、ＳＯＮのアルゴリズムは、複数のエレメント・マネジメント・システム（ＥＭＳ：Ｅｌｅｍｅｎｔ  Ｍａｎａｇｅｍｅｎｔ  Ｓｙｓｔｅｍ）を統合して基地局を２次的に管理する、ネットワーク・マネジメント・システム（ＮＭＳ：Ｎｅｔｗｏｒｋ  Ｍａｎａｇｅｍｅｎｔ  Ｓｙｓｔｅｍ）で集中的に実行される。【００１０】
上記（２）の機能配置をとった場合、ＳＯＮのアルゴリズムは、基地局を１次的に管理するＥＭＳにおいて集中的に実行される。【００１１】
上記（３）の機能配置をとった場合、ＳＯＮに必要な情報はＮｅｔｗｏｒｋ  Ｅｌｅｍｅｎｔ（ここでは基地局とする）間で直接交換される。そして、ＳＯＮのアルゴリズムは基地局で分散的に実行される。【００１２】
ところで、ＥＭＳは通常、基地局ベンダ毎に用意される。そのため、ＥＭＳ間での基地局の運用情報の送受信が行えない場合がある。この場合において、上記（２）の機能配置のシステムにおけるＥＭＳが、自身の管理下にない周辺基地局の運用情報を取得するためには、基地局間のインタフェースを利用する必要がある。【００１３】
同様に、ＮＭＳ間での基地局の運用情報の送受信が行えない場合がある。この場合において、上記（１）の機能配置のシステムにおけるＮＭＳが、自身の管理下にない基地局の運用情報を取得するためには、基地局間（またはＥＭＳ間）のインタフェースを利用する必要がある。【００１４】
なお、ＬＴＥにおける基地局間のインタフェースは、非特許文献３において、Ｘ２インタフェースとして定義されている。Ｘ２インタフェースによって送受信される基地局の運用情報の例としては、セル毎の負荷情報（ＲＥＳＯＵＲＣＥ  ＳＴＡＴＵＳ  ＵＰＤＡＴＥ）、隣接セルリストやランダムアクセスチャネルの構成情報（ＥＮＢ  ＣＯＮＦＩＧＵＲＡＴＩＯＮ  ＵＰＤＡＴＥ）が含まれる。
【先行技術文献】
【非特許文献】
【００１５】
【非特許文献１】３ＧＰＰ  ＴＲ  ３６．９０２、”  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｓｅｌｆ−ｃｏｎｆｉｇｕｒｉｎｇ  ａｎｄ  ｓｅｌｆ−ｏｐｔｉｍｉｚｉｎｇ  ｎｅｔｗｏｒｋ  （ＳＯＮ）  ｕｓｅ  ｃａｓｅｓ  ａｎｄ  ｓｏｌｕｔｉｏｎｓ  （Ｒｅｌｅａｓｅ  ９）”，  ｖ．  ９．３．１．  （２０１１．０３）．
【非特許文献２】３ＧＰＰ  ＴＳ  ３６．３３１、”Ｓｅｌｆ−Ｏｒｇａｎｉｚｉｎｇ  Ｎｅｔｗｏｒｋｓ  （ＳＯＮ）；  Ｃｏｎｃｅｐｔｓ  ａｎｄ  ｒｅｑｕｉｒｅｍｅｎｔｓ  （Ｒｅｌｅａｓｅ  １１）”，  ｖ．  １１．１．０  （２０１１．１２）．
【非特許文献３】３ＧＰＰ  ＴＳ  ３６．４２３、”  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｘ２  ａｐｐｌｉｃａｔｉｏｎ  ｐｒｏｔｏｃｏｌ  （Ｘ２ＡＰ）  （Ｒｅｌｅａｓｅ  １１）”，  ｖ．  １１．０．０  （２０１２．０３）．
【発明の概要】
【発明が解決しようとする課題】
【００１６】
上述したように、上記（１）や（２）の機能配置をとるシステムにおいて、複数の第一基地局を管理する管理装置が、他の管理装置が管理する第二基地局の運用情報を収集するためには、基地局間インタフェースを利用する必要がある。すなわち、第一基地局が、基地局間インタフェースを利用して第二基地局の運用情報を収集し、収集した運用情報を管理装置に転送する必要がある。【００１７】
ここで、互いに異なる管理装置で管理される基地局群の間は、通常、冗長性をもって接続される。すなわち、管理装置が管理するＭ個の第一基地局は、他の管理装置が管理するＮ個の第二基地局とメッシュ状に接続され、最大でＭ×Ｎ個の基地局間インタフェースが形成される。このとき、Ｎ個の第二基地局はそれぞれ、最大でＭ個の第一基地局と接続する。【００１８】
しかしながら、非特許文献１乃至３に記載の移動通信システムにおいては、第二基地局の運用情報を取得する基地局を、複数の第一基地局の中から指定することはできない。そのため、第二基地局がＭ個の第一基地局と接続していると、該Ｍ個の第一基地局それぞれが、基地局間インタフェースを使って、同じ第二基地局の運用情報を取得する事態が発生する。【００１９】
これにより、基地局間インタフェースで送受信される信号の量が、基地局間インタフェースで使用可能な帯域に対して多すぎる状態になり、基地局間の制御が遅延するという問題が生じる。【００２０】
この問題は、非特許文献１乃至３に記載の移動通信システムにおいて、管理装置が管理する複数の第一基地局の中から、他の管理装置が管理する第二基地局の運用情報を取得する基地局を指定できないことに起因する。【００２１】
そして、この問題は、基地局間に限らず、他のネットワークノード間でも起こりえる。例えば、それぞれ異なるネットワーク管理装置（例えばＮＭＳ）によって管理される、複数の基地局管理装置（例えばＥＭＳ）間でも起こりえる。【００２２】
本発明は上記問題に鑑みて、管理装置が管理する複数の第一ネットワークノードの中から、他の管理装置が管理する第二ネットワークノードの運用情報を取得する第一ネットワークノードを指定できる通信システムを提供することを目的とする。
【課題を解決するための手段】
【００２３】
本実施形態における通信システムは、複数の第一ネットークノードと、複数の第一ネットークノードを管理する管理装置と、管理装置と異なる他の管理装置が管理する第二ネットワークノードと、を有し、管理装置は、複数の第一ネットワークノードの中から、第二ネットワークノードの運用情報を取得する指定ネットワークノードを選択し、指定ネットワークノードは、運用情報を第二ネットワークノードから取得して、運用情報を管理装置に送信する。【００２４】
本実施形態における管理装置は、複数の第一ネットワークノードを管理する管理装置であって、複数の第一ネットワークノードの中から、管理装置と異なる他の管理装置が管理する第二ネットワークノードの運用情報を取得する指定ネットワークノードを選択する選択部と、指定ネットワークノードから、第二ネットワークノードの運用情報を受信する通信部と、を有する。【００２５】
本実施形態におけるネットワークノードは、管理装置が管理する第一ネットワークノードであって、第一ネットワークノードが、管理装置と異なる他の管理装置が管理する第二ネットワークノードの運用情報を取得する指定ネットワークノードとして選択された場合、第二ネットワークノードの運用情報を管理装置に送信する通信部を有する。【００２６】
本実施形態における通信方法は、複数の第一ネットワークノードの中から、第二ネットワークノードの運用情報を取得する指定ネットワークノードを選択する工程と、指定ネットワークノードが、第二ネットワークノードの運用情報を管理装置に送信する工程と、第二ネットワークノードの運用情報を、管理装置が受信する工程と、を有する。【００２７】
本実施形態におけるプログラムは、複数の第一ネットワークノードの中から、第二ネットワークノードの運用情報を取得する指定ネットワークノードを選択する工程と、指定ネットワークノードが、第二ネットワークノードの運用情報を管理装置に送信する工程と、第二ネットワークノードの運用情報を、管理装置が受信する工程と、をコンピュータに実行させる。【００２８】
本実施形態における記録媒体は、コンピュータに読み取り可能な情報記憶媒体であって、本実施形態におけるプログラムを記録する。
【発明の効果】
【００２９】
本発明により、管理装置が管理する複数の第一ネットワークノードの中から、他の管理装置が管理する第二ネットワークノードの運用情報を取得する第一ネットワークノードを指定することが可能となる。
【図面の簡単な説明】
【００３０】
【図１】図１は本発明の第１の実施形態に係る通信システムの概略的構成を示すブロック図である。
【図２】図２は本発明の第１の実施形態に係る通信システムにおける第一ネットワークノードの構成例を示すブロック図である。
【図３】図３は本発明の第１の実施形態に係る管理装置の機能的構成を示すブロック図である。
【図４】図４は本発明の第１の実施形態に係る通信システムの動作を説明するためのフローチャートである。
【図５】図５は本発明の第２の実施形態に係る通信システムの構成を示すブロック図である。
【図６】図６は本発明の第２の実施形態に係る通信システムにおける基地局の構成を示すブロック図である。
【図７】図７は本発明の第２の実施形態に係る第一管理装置の構成を示すブロック図である。
【図８】図８は本発明の第２の実施形態に係る通信システムにおける基地局間接続構造データベースの一例を示す模式図である。
【図９】図９は本発明の第２の実施形態に係る通信システムにおける運用情報取得対象基地局データベースの一例を示す模式図である。
【図１０】図１０は本発明の第２の実施形態に係る通信システムにおける運用情報データベースの一例を示す模式図である。
【図１１】図１１は本発明の第２の実施形態に係る通信システムにおけるメッセージ交換手順の動作を示すシーケンス図である。
【図１２】図１２は本発明の第２の実施形態に係る通信システムにおける、基地局識別子管理部の動作を説明するためのフローチャートである。
【図１３】図１３は本発明の第２の実施形態に係る通信システムにおける選択部の動作を説明するためのフローチャートである。
【図１４】図１４は本発明の第２の実施形態に係る通信システムにおける選択部の動作を説明するためのフローチャートである。
【図１５】図１５は本発明の第３の実施形態に係る通信システムにおける運用情報データベースの一例を示す模式図である。
【発明を実施するための形態】
【００３１】
本発明の実施の形態について図面を参照しながら説明する。しかしながら、係る形態は本発明の技術的範囲を限定するものではない。
【００３２】
１．第１の実施形態
１．１）システム構成
本発明の第１の実施形態における通信システムについて、図１を用いて説明する。
【００３３】
本実施形態による通信システム１０は、複数の第一ネットークノード１１１〜Ｍと、複数の第一ネットークノード１１１〜Ｍを管理する管理装置１２と、管理装置１２と異なる他の管理装置が管理する第二ネットワークノード１３と、を有する。
【００３４】
管理装置１２は、複数の第一ネットワークノード１１１〜Ｍの中から、第二ネットワークノード１３の運用情報を取得する指定ネットワークノードを選択する。そして、指定ネットワークノードは、第二ネットワークノード１３の運用情報を、第二ネットワークノード１３から取得し、該運用情報を管理装置１２に送信する。なお、本実施形態における管理装置１２は、指定ネットワークノードとして、第一ネットワークノード１１１を選択することとする。この場合、第一ネットワークノード１１１が、第二ネットワークノード１３から、第二ネットワークノード１３の運用情報を取得し、該運用情報を管理装置１２に送信する。
【００３５】
次に、複数の第一ネットワークノード１１１〜Ｍに含まれる第一ネットワークノード１１Ｘ（x = １,2, ..., or M）の構成の一例を図２に示す。第一ネットワークノード１１Ｘは、通信部１４を有する。通信部１４は、第一ネットワークノード１１Ｘが第二ネットワークノード１３の運用情報を取得する指定ネットワークノードとして選択された場合、第二ネットワークノード１３の運用情報を管理装置１２に送信する。
【００３６】
次に、管理装置１２の機能的構成の一例を図３に示す。管理装置１２は、選択部１５と、通信部１６と、を有する。選択部１５は、複数の第一ネットワークノード１１１〜Ｍの中から、第二ネットワークノード１３の運用情報を取得する指定ネットワークノードを選択する。通信部１６は、指定ネットワークノードから第二ネットワークノード１３の運用情報を受信する。
【００３７】
１．２）システム動作
次に、本実施形態による通信システムの動作について、図４を用いて説明する。初めに、管理装置１２は、複数の第一ネットワークノード１１１〜Ｍの中から、第二ネットワークノード１３の運用情報を取得する指定ネットワークノードを選択する（動作Ｓ１）。次に、指定ネットワークノードは、第二ネットワークノード１３の運用情報を取得する（動作Ｓ２）。そして、指定ネットワークノードは、動作Ｓ２で取得した第二ネットワークノード１３の運用情報を管理装置１２に送信する（動作Ｓ３）。
【００３８】
１．３）効果
以上のように、本実施形態による管理装置１２は、第二ネットワークノード１３の運用情報を取得する指定ネットワークノードを、複数の第一ネットワークノード１１１〜Ｍの中から選択する。そのため、仮に全ての第一ネットワークノード１１１〜Ｍが第二ネットワークノード１３と接続している場合でも、管理装置１２は、第二ネットワークノード１３の運用情報を取得する第一ネットワークノード１１を、例えば１つに限定することが可能となる。
【００３９】
以上のようにして、本実施形態による通信システム１０は、管理装置１２が管理する複数の第一ネットワークノード１１１〜Ｍの中から、他の管理装置が管理する第二ネットワークノード１３の運用情報を取得する第一ネットワークノードを指定することが可能となる。
【００４０】
これにより、本実施形態による通信システム１０は、ネットワークノード間のインタフェース上で送受信されるネットワークノードの運用情報の量を制御することができる。そのため、ネットワークノード間インタフェースの帯域を効率的に利用することができ、ネットワークノード間の制御に遅延が生じることを防ぐことができる。更に、ネットワークノード配下の装置に提供するサービスが劣化することも防ぐことができる。
【００４１】
そして、本実施形態による管理装置１２は、収集した第二ネットワークノードの運用情報を用いて、通信システム１０のネットワークの設定情報を更新することができる。これにより、管理装置１２は、通信システム１０の自律最適化を行うことができる。
【００４２】
２．第２の実施形態
２．１）システム構成
次に、本発明の第２の実施形態による通信システムについて、図５を用いて説明する。第一管理装置２７と第一基地局群を接続するインタフェースは、例えば、３ＧＰＰで規定されるＩｔｆ−Ｂインタフェースである。
【００４３】
第一基地局群に含まれる基地局２１〜２６は、互いに基地局間インタフェース（図示せず）で接続されている。同様に、第二基地局群に含まれる基地局２８〜３１も、互いに基地局間インタフェース（図示せず）で接続されている。また、第一基地局群と第二基地局群の間も、互いに基地局間インタフェース３３で接続されている。なお、基地局間インタフェース３３は、例えば、３ＧＰＰで規定されるＸ２インタフェースである。
【００４４】
次に、基地局２１の構成を図６に示す。基地局２１は、通信部３４と、呼制御部３５と、基地局識別子管理部３６と、運用情報管理部３７と、を有する。
【００４５】
通信部３４は、第一通信部３８と、第二通信部３９と、第三通信部４０と、を有する。第一通信部３８は、基地局２１と第一管理装置２７との間のインタフェースを介して、第一管理装置２７と通信する。例えば、第一通信部３８は、基地局間インタフェースを介して接続された基地局の識別子や運用情報を、第一管理装置２７に送信する。第二通信部３９は、無線リンクを介して、複数の移動局と通信し、ユーザデータの送受信を行う。また、第三通信部４０は、基地局間インタフェースを介して、基地局２２〜２６及び基地局２８、２９と通信する。例えば、第三通信部４０は、基地局間インタフェースを介して、制御情報や運用情報の送受信を行う。
【００４６】
呼制御部３５は、移動局に対する発呼や着呼、及び、ハンドオーバの制御や無線リソースの割り当てを行う。
【００４７】
基地局識別子記録部３６は、基地局２１が接続された接続先基地局の識別子のリスト（以下、接続先基地局リストとする）を管理する。また、基地局識別子管理部３６は、基地局２１が運用情報を取得すべき他の基地局の識別子のリスト（以下、取得対象基地局リストとする）を管理する。
【００４８】
運用情報管理部３７は、基地局識別子管理部３６が管理する取得対象基地局リストに基づいて、基地局間インタフェースを介して、他の基地局の運用情報を収集する。また、運用情報管理部３７は、自局内部の構成情報やトラフィック統計も行う。
【００４９】
次に、第一管理装置２７の構成を図７に示す。第一管理装置２７は、通信部４１と、分析部４２と、選択部４３と、収集部４４と、更新部４５と、第一データベース４６と、第二データベース４７と、第三データベース４８と、を有する。
【００５０】
通信部４１は、第一管理装置２７と第一基地局群との間のインタフェースを介して、基地局２１〜２６と、運用情報や基地局識別子などの送受信を行う。
【００５１】
分析部４２は、基地局２１〜２６から受信した基地局識別子から、基地局間の接続構造を分析する。なお、分析部４２は、第一基地局群の基地局２１〜２６の間の接続構造だけでなく、該基地局２１〜２６と、第二基地局群の基地局２７〜３０との間の接続構造も分析する。そして、分析部４２は、基地局間の接続構造を示す接続情報からなる基地局間接続構造データベースを作成する。第一データベース４６は、分析部４２によって作成された基地局間接続構造データベースを格納する。
【００５２】
選択部４３は、分析部４２に格納された基地局間接続構造データベースを参照して、第二基地局群の基地局２８〜３１のそれぞれの運用情報を取得する基地局（以下、指定基地局とする）を、第一基地局群の基地局２１〜２６の中から選択する。そして、選択部４３は、選択結果に基づいて、第二基地局群の基地局と、その運用情報を取得する指定基地局と、を対応づけた対応情報からなる運用情報取得対象基地局データベースを作成する。第二データベース４７は、選択部４３によって作成された運用情報取得対象基地局データベースを格納する。
【００５３】
収集部４４は、第二データベース４７が記録する運用情報取得対象基地局データベースに基づいて、指定基地局から、それに対応する第二基地局群の基地局の運用情報を収集する。第三データベース４８は、収集部４４が収集した運用情報からなる運用情報データベースを格納する。
【００５４】
更新部４５は、第三データベース４８が記録する運用情報データベースに含まれる基地局の運用情報に基づいて、通信システム２０のネットワークの設定情報を更新し、ネットワーク特性の改善を図る。
【００５５】
２．２）データベース
＜基地局間接続構造データベース＞
次に、本実施形態における、第一データベース４６が記録する基地局間接続構造データベースについて説明する。基地局間接続構造データベースは、第一及び第二基地局群の基地局間の接続構造を示す接続情報である。基地局間接続構造データベースの一例を、図８に示す。図８に示す基地局間接続構造データベースは、第一基地局群の基地局の識別子リスト（Ａ１）と、第二基地局群の基地局の識別子リスト（Ａ２）が表形式で表されたデータベースである。また、各々の基地局が基地局間インタフェースを介して接続されている場合には、所定のチェック（図８においては、「〇」）が入力され、接続されない場合には他の所定のチェック、もしくはブランクが入力される。なお、基地局が、第一基地局群に含まれるのか、第二基地局群に含まれるのかという区別については、それぞれに対する基地局の識別子の範囲などから、一意に判別可能なものとする。
【００５６】
ここで、図８に示す基地局間接続構造データベースは、図５に示した通信システムの構造における接続構造を反映している。すなわち、図８に示す基地局間接続構造データベースは、基地局２１が基地局２８、２９と接続し、基地局２２が基地局２８、２９と接続し、基地局２３が基地局２８〜３０と接続し、基地局２４が基地局２９〜３１と接続し、基地局２５が基地局２９〜３１と接続し、基地局２６が基地局３０、３１と接続しているという、接続構造を示す。
【００５７】
なお、基地局間接続構造データベースには、第一基地局群の基地局同士、すなわち基地局２１〜２６の間の接続構造も含めることとしても良いが、本実施形態においては、省略する。
【００５８】
＜運用情報取得対象基地局データベース＞
次に、本実施形態における、第二データベース４７が記録する運用情報取得対象基地局データベースについて説明する。運用情報取得対象基地局データベースは、第二基地局群の基地局と、該第二基地局群の基地局の運用情報を取得する指定基地局と、を対応づけた対応情報である。運用情報取得対象基地局データベースの一例を、図９に示す。図９に示す運用情報取得対象基地局データベースは、第一基地局群の基地局の識別子リスト（Ｂ１）と、第二基地局群の基地局の識別子リスト（Ｂ２）とが表形式で表されたデータベースである。そして、第二基地局群に含まれる基地局の識別子と、該基地局の運用情報を収集する指定基地局の識別子とが交差する箇所には、所定のチェック（図９においては、「〇」）が入力される。一方、それ以外の基地局間が交差する箇所には、他の所定のチェック、もしくはブランクが入力される。
【００５９】
なお、図９においては、第二基地局群の基地局２８〜３１の運用情報を収集する指定基地局は、第一基地局群の基地局２１〜２６の中から、それぞれ１つだけ選択されている。これにより、第二基地局群に含まれる基地局の運用情報はそれぞれ、非冗長に収集される。
【００６０】
すなわち、図９に示す運用情報取得対象基地局データベースに基づくと、第二基地局群の基地局の運用情報は、次のように収集される。基地局２８、２９の運用情報は、基地局２１が収集する。基地局３０の運用情報は、基地局２３が収集する。基地局３１の運用情報は、基地局２４が収集する。
【００６１】
なお、選択部４３は、第一基地局群の基地局のそれぞれの負荷状況に基づいて、第二基地局群の基地局の運用情報を取得する指定基地局を選択することとしても良い。例えば、第一基地局群の中で負荷が高い状況にある基地局は、第二基地局群の基地局の運用情報を収集する指定基地局として選択しないようにすることとしても良い。これにより、第一基地局群の基地局間で負荷分散を図ることができる。
【００６２】
また、第一基地局群の基地局それぞれに対して、運用情報を取得する第二基地局群の基地局の数に上限を設けることとしても良い。これにより、運用情報を取得する指定基地局としての役割が特定の基地局に集中するのを防ぎ、負荷分散を図ることができる。
【００６３】
また、省電力制御などの理由により、既に一時運用を休止することが判明している基地局は、第二基地局群の基地局の運用情報を取得する指定基地局として選択しないこととしても良い。これにより、運用情報を収集する基地局の切り替えが頻繁に発生することを防止できる。
また、ネットワーク負荷を考慮して、第二基地局群に含まれる基地局の運用情報を冗長収集することもできる。たとえば、第二基地局群に含まれる基地局に対応する指定基地局として第一基地局群の基地局から２つ以上の基地局を選択し、１つの運用情報を冗長収集することで信頼性を向上させることもできる。
【００６４】
＜運用情報データベース＞
次に、第三データベース４８が記録する運用情報のデータベースについて説明する。運用情報データベースは、第一管理装置２７が、指定基地局として選択された第一基地局群の基地局から収集した、第二基地局群の基地局の運用情報を含む。運用情報データベースの一例を、図１０に示す。図１０に示す運用情報のデータベースは、第二基地局群の基地局の運用情報の情報要素として、基地局の負荷、隣接セルリスト、ランダムアクセスチャネルの設定が含まれる。基地局の負荷を示す情報としては、例えば、ＰＲＢ  Ｕｓａｇｅ（Ｐｈｙｓｉｃａｌ  Ｒｅｓｏｕｒｃｅ  Ｂｌｏｃｋ  Ｕｓａｇｅ）や、下り回線の総送信電力、上り回線の広帯域受信電力、あるいは合計スループットとしても良い。なお、運用情報データベースは、第二基地局群の基地局の運用情報だけでなく、第一基地局群の基地局の運用情報も含むこととしても良い。また、基地局が複数のセルをカバーする場合、運用情報は、基地局毎ではなく、セル毎に収集されることとしても良い。更に、運用情報データベースは、最新の運用情報だけでなく、過去の運用情報を時系列で保持する形式としても良い。
【００６５】
２．３）システム動作
次に、本実施形態における動作を、図１１を用いて説明する。図１１は、本実施形態における、第一管理装置２７と、基地局との間における、メッセージ交換手順のシーケンス図を示す。なお、図１１に示すシーケンスの開始前においては、第二基地局群の基地局２８は、第一基地局群の基地局２１〜２６のいずれにも接続していないこととする。
【００６６】
初めに、第二基地局群の基地局２８から、第一基地局群の基地局２１に対して、基地局間インタフェース確立要求メッセージＭ１００を送信する（動作Ｓ１０）。基地局間インタフェース確立要求メッセージには、基地局２８の識別子が含まれる。そして、基地局２１から基地局２８に対して、基地局間インタフェース確立応答メッセージＭ１０１を送信する（動作Ｓ１１）。これにより、基地局２１と基地局２８との間で基地局間インタフェースが確立される。なお、基地局間インタフェース確立要求メッセージとは、例えば、Ｘ２  ＳＥＴＵＰ  ＲＥＱＵＥＳＴメッセージである。また、基地局間インタフェース確立応答メッセージとは、例えば、Ｘ２  ＳＥＴＵＰ  ＲＥＳＰＯＮＳＥメッセージである。
【００６７】
基地局２１の基地局識別子管理部３６は、基地局２８が基地局２１と接続すると、接続先基地局リストに基地局２８の識別子を追加する。そして、基地局２１は、第一管理装置２７に対して、接続先基地局リストに新たに基地局２８が追加されたことを示す、接続先変更メッセージＭ１０２を送信する（動作Ｓ１２）。接続先変更メッセージには、基地局２１に新たに接続された基地局２８の識別子が含まれる。
【００６８】
次に、第一管理装置２７の分析部４２は、接続先変更メッセージに基づいて基地局間の接続構造を分析し、基地局間の接続関係を示す接続情報からなる基地局間接続構造データベースを更新する（動作Ｓ１３）。
【００６９】
第一管理装置２７の選択部４３は、更新された基地局間接続構造データベースを参照する。そして、選択部４３は、第一基地局群の基地局の中から、基地局２８の運用情報を収集する指定基地局を選択し、運用情報取得対象基地局データベースを更新する（動作Ｓ１４）。ここで、選択部４３は、第一基地局群に含まれる基地局のうち、基地局２８と接続している基地局の中から、指定基地局を選択する。本実施形態においては、第一基地局群に含まれる基地局のうち、基地局２８に接続する基地局は基地局２１のみである。したがって、この場合、第一管理装置２７は、基地局２８の運用情報を取得する指定基地局として、基地局２１を選択する。
【００７０】
次に、第一管理装置２７は、基地局２８の運用情報を取得する指定基地局として基地局２１が選択されたことを示す選択メッセージＭ１０３を、基地局２１に送信する（動作Ｓ１５）。選択メッセージＭ１０３は、指定基地局として選択された基地局２８の識別子を含む。
【００７１】
次に、基地局２１の基地局識別子管理部３６は、選択メッセージＭ１０３に基づいて、取得対象基地局リストの更新を行う。本実施形態においては、基地局識別子管理部３６は、取得対象基地局リストに、基地局２８の識別子を追加する（動作Ｓ１６）。
【００７２】
次に、基地局識別子管理部３６は、運用情報管理部３７に対して、取得対象基地局リストに基地局２８が新たに追加されたことを通知する。これに応じて、運用情報管理部３７は、運用情報を要求するための運用情報要求メッセージＭ１０４を、通信部３４を介して基地局２８に送信する（動作Ｓ１７）。そして、基地局２８は、基地局２１に対して運用情報応答メッセージＭ１０５を送信する（動作Ｓ１８）。運用情報応答メッセージには、基地局２８の運用情報が含まれる。これにより、基地局２１の運用情報管理部３７は、基地局２８の運用情報を取得する。
【００７３】
次に、基地局２１の運用情報管理部３７は、基地局２８の運用情報を含むメッセージＭ１０６を、通信部３４を介して、第一管理装置２７に送信する（動作Ｓ１９）。そして、第一管理装置２７は、基地局２８の運用情報を、第三データベース４８が格納する運用情報データベースに追加する。
【００７４】
以上のようにして、第一管理装置２７は、第二管理装置３２が管理する基地局である基地局２８の運用情報を取得することができる。
【００７５】
また、動作Ｓ１５で基地局２８の識別子を受信した基地局２１は、その後、定期的に基地局２８の運用情報を収集し、第一管理装置２７に転送することとしても良い。これにより、第一管理装置２７は、第二管理装置３２が管理する基地局２８の最新の運用情報を、定期的に取得することができる。
【００７６】
なお、図１１においては、基地局２１は、基地局２８に対して基地局間インタフェース確立応答メッセージＭ１０１を送信した後、第一管理装置２７に対して接続先変更メッセージＭ１０２を送信したが、これに限らない。すなわち、基地局２１は、第一管理装置２７と、接続先変更メッセージＭ１０２及び選択メッセージＭ１０３のメッセージを送受信した後、基地局２８に対して基地局間インタフェース確立応答メッセージＭ１０１を送信することとしても良い。この場合、基地局２１は、基地局２８の運用情報の要求メッセージＭ１０４を、基地局間インタフェース確立応答（Ｍ１０１）に含めて、基地局２８に送信することとしても良い。
【００７７】
続いて、第一基地局群の基地局２２と、第二基地局群の基地局２８との間で、基地局間インタフェースが確立される場合について述べる。基地局２８は、基地局２２に対して基地局間インタフェース確立要求メッセージＭ１０７を送信する（動作Ｓ２０）。基地局２１は、基地局２８に対して、基地局間インタフェース確立応答メッセージＭ１０８を送信する（動作Ｓ２１）。
【００７８】
そして、基地局２２は、第一管理装置２７に対して、基地局２２に接続する基地局として、新たに基地局２８が追加されたことを示す、接続先基地局更新メッセージＭ１０９を送信する（動作Ｓ２２）。ここで、接続先基地局更新メッセージには、基地局２２に新たに接続された基地局２８の識別子が含まれる。
【００７９】
次に、第一管理装置２７の分析部４２は、接続先基地局更新メッセージに基づいて、基地局間の接続構造を分析し、基地局間接続構造データベースを更新する（動作Ｓ２３）。
【００８０】
ここで、基地局２８の運用情報を取得する指定基地局としては、動作Ｓ１４において、既に基地局２１が選択されている。そのため、選択部４３は、基地局２８の運用情報を取得する指定基地局の選択は行わない。
【００８１】
この場合、第一管理装置２７は、基地局２２に対して、指定基地局として選択されたことを示す選択メッセージを送信しない。そのため、基地局２２は、基地局２８の運用情報を収集しない。
【００８２】
以上のように、本実施形態における第一管理装置２７は、基地局２８の運用情報を取得する基地局を１つだけに限定することができる。これにより、基地局２８の運用情報が、基地局２１と基地局２２とから、冗長的に第一管理装置２７に送信されることを防ぐことができる。
【００８３】
なお、選択部４３は、動作Ｓ２３の後、基地局２１よりも基地局２２の方が、基地局２８の運用情報を収集する基地局として適していると判断する場合には、基地局２８の運用情報を収集する基地局として基地局２２を選択することとしても良い。例えば、基地局２１と比較して、基地局２２の負荷状態が低いと判断した場合には、基地局２８の運用情報を収集する基地局を、基地局２１から基地局２２に変更することとしても良い。
【００８４】
この場合、第一管理装置２７は、基地局２１及び基地局２２のそれぞれに、指定基地局を再選択したことを示すメッセージを送信する。すなわち、基地局２１に対しては、基地局２８の指定基地局ではなくなったことを示すメッセージを送信する。これにより、基地局２１は、取得対象基地局リストから、基地局２８の識別子を削除する。一方、基地局２２に対しては、基地局２８の指定基地局として選択されたことを示すメッセージを送信する。これにより、基地局２２は、取得対象基地局リストに、基地局２８の識別子を追加する。
【００８５】
２．４）基地局の動作
次に、基地局２１の基地局識別子管理部３６が行う動作について、図１２を用いて説明する。図１２は、基地局識別子管理部３６が行う動作のフローチャートを示す。
【００８６】
初めに、基地局識別子管理部３６による処理を開始した後（動作Ｓ１００）、基地局２１と第二基地局群の基地局との接続関係が変更した場合（動作Ｓ１０１におけるＹＥＳ）について述べる。
【００８７】
この場合、基地局識別子管理部３・BR>Uは、接続先基地局リストを更新する（動作Ｓ１０２）。そして、基地局識別子管理部３６は、基地局２１と第二基地局群の基地局との接続関係の変更を通知する接続変更メッセージを、通信部３４を介して、第一管理装置２７に送信する（動作Ｓ１０３）。接続変更メッセージには、基地局２１の接続先基地局リストから追加または削除された基地局の識別子が含まれる。なお、接続変更メッセージには、更新後の接続先基地局リストに含まれる全ての基地局の識別子を含めることとしてもよい。
【００８８】
以上のようにして、基地局識別子管理部３６による接続先基地局リストの更新に関する一連の処理が完了する（動作Ｓ１０４）。そして、基地局識別子管理部３６は、この動作Ｓ１０１〜１０３までの処理を繰り返し実行することで、接続先基地局リストの管理を行う。
【００８９】
なお、基地局間の接続関係が変更した場合とは、例えば、基地局間インタフェースの追加または削除に関する通知を受信した場合である。基地局間インタフェースの追加に関する通知とは、例えば、図１１における基地局間インタフェース確立要求メッセージＭ１００や基地局間インタフェース確立応答メッセージＭ１０１である。また、基地局間インタフェースの削除に関する通知とは、例えば、基地局間インタフェース削除要求メッセージや基地局間インタフェース削除応答メッセージである。
【００９０】
次に、基地局２１が、取得対象基地局リストの更新に関するメッセージを受信した場合について述べる（動作Ｓ１０５におけるＹＥＳ）。この場合、基地局識別子管理部３６は、取得対象基地局リストの更新を行う（動作Ｓ１０６）。
【００９１】
取得対象基地局リストの更新に関するメッセージとは、例えば、基地局２１が第二基地局群の基地局の指定基地局として選択されたことを示すメッセージである。基地局２１がこのメッセージを受信した場合、基地局識別子管理部３６は、取得対象基地局リストに新たな基地局の識別子を追加する更新を行う（動作Ｓ１０７におけるＹＥＳ）。この場合、基地局識別子管理部３６は、取得対象基地局リストに追加された基地局の運用情報を取得する処理を開始する（動作Ｓ１０８）。具体的には、基地局識別子管理部３６は、運用情報管理部３７に対して、取得対象基地局リストに新たに追加された基地局の識別子を通知する。そして、運用情報管理部３７は、通信部３４を介して、追加された基地局の運用情報を収集する。
【００９２】
取得対象基地局リストの更新に関するメッセージの他の例として、基地局２１が第二基地局群の基地局の指定基地局ではなくなったことを示すメッセージがある。基地局２１がこのメッセージを受信した場合、基地局識別子管理部３６は、取得対象基地局リストから基地局の識別子を削除する更新を行う（動作Ｓ１０７におけるＮＯ、動作Ｓ１０９におけるＹＥＳ）。この場合、基地局識別子管理部３６は、取得対象基地局リストから削除された基地局の運用情報の取得を停止する処理を開始する（動作Ｓ１１０）。具体的には、基地局識別子管理部３６は、運用情報管理部３７に対して、取得対象基地局リストから削除された基地局の識別子を通知する。そして、運用情報管理部３７は、それ以降、通知された基地局の運用情報の収集を停止する。
【００９３】
以上のようにして、基地局識別子管理部３６による、取得対象基地局リストの更新に関する一連の処理が完了する（動作Ｓ１１１）。そして、基地局識別子管理部３６は、動作Ｓ１０５〜１１０までの処理を繰り返し実行することで、取得対象基地局リストの管理を行う。
【００９４】
２．５）管理装置の動作
次に、第一管理装置２７の選択部４３による、第二データベース４７が格納する運用情報取得対象基地局データベースの更新処理について、図１３に示すフローチャートを用いて説明する。
【００９５】
選択部４３は、処理を開始すると（動作Ｓ２００）、第一データベース４６が格納する基地局間接続構造データベースが更新されるのを待つ。そして、基地局間接続構造データベースが更新された場合（動作Ｓ２０１におけるＹＥＳ）、選択部４３は、更新された基地局間接続構造データベースを参照し、接続構造がどのように変更したのか判断する（動作Ｓ２０２）。
【００９６】
初めに、第一基地局群の基地局のいずれかに、第二基地局群の基地局が新たに接続した場合（動作Ｓ２０３におけるＹＥＳ）について述べる。この場合、選択部４３は新たに接続した第二基地局群の基地局（以下、追加基地局とする）の運用情報を取得する指定基地局を選択する必要があるか否かを判断する（動作Ｓ２０４）。指定基地局を選択する必要がある場合とは、追加基地局の運用情報を取得する指定基地局が、第一基地局群の中から未だ選択されていない場合である。
【００９７】
追加基地局の運用情報を取得する指定基地局を選択する必要がある場合（動作Ｓ２０４におけるＹＥＳ）、選択部４３は、指定基地局を、第一基地局群の基地局のうち、追加基地局と接続している基地局の中から選択する（動作Ｓ２０５）。
【００９８】
そして、選択部４３は、動作Ｓ２０５における選択結果に基づいて、運用情報取得対象基地局データベースを更新する（動作Ｓ２０６）。すなわち、運用情報取得対象基地局データベースにおいて、Ｂ２のリストに追加基地局の識別子を追加した上で、該追加基地局の識別子と、動作Ｓ２０５において選択した指定基地局の識別子とを対応付ける。
【００９９】
以上のようにして、選択部４３による運用情報取得対象基地局データベースの更新の処理が終了する（動作Ｓ２０７）。
【０１００】
一方、追加基地局の運用情報を取得する基地局を選択する必要がない場合（動作Ｓ２０４におけるＮＯ）、選択部４３は、動作Ｓ２０５、Ｓ２０６を行わずに、処理を終了する（動作Ｓ２０７）。
【０１０１】
次に、第一基地局群の基地局のいずれかと、第二基地局群の基地局との接続が切断された場合（動作Ｓ２０３におけるＮＯ、動作Ｓ２０８におけるＹＥＳ）について述べる。なお、第一基地局群の基地局のいずれかとの接続が切断された第二基地局群の基地局を、切断基地局と呼ぶこととする。
【０１０２】
選択部４３は、切断基地局と、切断基地局の運用情報を取得する指定基地局として選択されていた基地局との接続が切断されたか否かを判断する（動作Ｓ２０９）。更に、選択部４３は、該切断基地局が、第一基地局群の他の基地局と接続しているか否かを判断する（動作Ｓ２１０）。
【０１０３】
切断基地局と、切断基地局の運用情報を取得する指定基地局として選択されていた基地局との接続が切断された場合であって、切断基地局が、第一基地局群の他の基地局と接続している場合（動作Ｓ２０９、２１０におけるＹＥＳ）、選択部４３は、切断基地局の運用情報を取得する指定基地局を新たに選択する（動作Ｓ２１１）。
【０１０４】
そして、選択部４３は、動作Ｓ２１１の選択結果に基づいて、運用情報取得対象基地局データベースを更新し（動作Ｓ２１２）、処理を終了する（動作Ｓ２１３）。
【０１０５】
例えば、図８、図９において、基地局２１と基地局２９との接続が切断された場合、次のような処理になる。基地局２１は、基地局２９の運用情報を取得する指定基地局として選択されていた基地局である（動作Ｓ２０９におけるＹＥＳ）。また、基地局２９は、基地局２１との接続が切断された後も、基地局２２〜２５と接続している（動作Ｓ２１０におけるＹＥＳ）。そのため、選択部４３は、基地局２９の運用情報を取得する指定基地局を、基地局２２〜２５の中から選択する（動作Ｓ２１１）。
【０１０６】
次に、切断基地局と、切断基地局の指定基地局として選択されていた基地局との接続が切断されたが（動作Ｓ２０９におけるＹＥＳ）、切断基地局が、第一基地局群の他の基地局のいずれとも接続していない場合（動作Ｓ２１０におけるＮＯ）について述べる。この場合、選択部４３は、運用情報取得対象基地局データベースから切断基地局の識別子を削除する更新を行って（動作Ｓ２１２）、処理を終了する（動作Ｓ２１３）。
【０１０７】
なお、切断基地局との接続が切断された第一基地局群の基地局が、切断基地局の運用情報を取得する指定基地局として選択されていない場合（動作Ｓ２０９におけるＮＯ）、選択部４３は、運用情報取得対象基地局データベースを変更せずに、処理を終了する（動作Ｓ２１３）。
【０１０８】
次に、第一管理装置２７と、第一基地局群の基地局との接続が切断された場合における、選択部４３の処理について、図１４を用いて説明する。
【０１０９】
図１４において、選択部４３の処理開始後（動作Ｓ３００）、第一管理装置２７と第一基地局群の基地局との接続が切断されたこととする（動作Ｓ３０１におけるＹＥＳ）。
【０１１０】
この場合、選択部４３は、初めに、運用情報取得対象基地局データベースを参照する（動作Ｓ３０２）。そして、選択部４３は、第一管理装置２７との接続が切断された第一基地局群の基地局（以下、管理切断基地局とする）が、第二基地局群の基地局のいずれかの運用情報を取得する指定基地局として選択されていたか否かを判断する（動作Ｓ３０３）。ここで、管理切断基地局が、第二基地局群のいずれの基地局の指定基地局としても選択されていない場合（動作Ｓ３０３におけるＮＯ）、処理は終了する（動作Ｓ３０８）。
【０１１１】
一方、管理切断基地局が、第二基地局群のいずれかの基地局の指定基地局として選択されていた場合（動作Ｓ３０３におけるＹＥＳ）、選択部４３は、基地局間接続構造データベースを参照する（動作Ｓ３０４）。そして、選択部４３は、管理切断基地局が運用情報を取得することとなっていた第二基地群の基地局が、第一基地局群の他の基地局と接続しているか否かを判断する（動作Ｓ３０５）。ここで、管理切断基地局が運用情報を取得することとなっていた第二基地群の基地局が、第一基地局群の他の基地局と接続していない場合（動作Ｓ３０５におけるＮＯ）、処理は終了する（動作Ｓ３０７）。
【０１１２】
また、動作Ｓ３０５においてＹＥＳの場合、選択部４３は、第一基地局群の他の基地局の中から、第二基地局群の基地局の運用情報を収集する指定基地局を新たに選択する（動作Ｓ３０６）。そして、選択部４３は、動作Ｓ３０６における選択結果に基づいて、運用情報取得対象基地局データベースを更新する（動作Ｓ３０７）。
【０１１３】
例えば、動作Ｓ３０１において、第一管理装置２７と基地局２３との接続が切断された場合について述べる。図９に示す運用情報取得対象基地局データベースを参照すると、基地局２３は、第二基地局群の基地局３０の指定基地局として選択されている（動作Ｓ３０３におけるＹＥＳ）。また、図８に示す基地局間接続構造データベースを参照すると、基地局３０は、第一基地局群の基地局２４〜２６と接続している（動作Ｓ３０５におけるＹＥＳ）。そのため、選択部４３は、第一基地局群の基地局２４〜２６の中から、基地局３０の運用情報を取得する指定基地局を新たに選択し、運用情報取得対象基地局データベースを更新する（動作Ｓ３０６、Ｓ３０７）。
【０１１４】
なお、動作Ｓ３０３において、管理切断基地局が、第二基地局群の複数の基地局の指定基地局として選択されていた場合、該複数の基地局それぞれについて、動作Ｓ３０４〜３０７の処理を順次行う。
【０１１５】
そして、選択部４３は、動作Ｓ２０１〜２１３及び動作Ｓ３０１〜３０７までの処理を繰り返し実行することで、運用情報取得対象基地局データベースの更新を行う。
【０１１６】
２．６）効果
以上のように、本実施形態においては、基地局間の接続構造や、第一管理装置２７と基地局との接続構造が変更した場合であっても、第一管理装置２７は、第二基地局群の基地局の運用情報を収集する基地局を、第一基地局群の基地局の中から選択することができる。
【０１１７】
これにより、本実施形態における第一管理装置２７は、第二基地局群の基地局の運用情報を取得することができ、通信システム２０のネットワークの自律最適化を行うことができる。
【０１１８】
また、本実施形態における第一管理装置２７は、第二基地局群の基地局の運用情報を取得する指定基地局を、第一基地局群の基地局中から１つだけ選択することとした。そのため、第一基地局群の複数の基地局それぞれが、第二基地局群の同じ基地局の運用情報を収集し、第一管理装置２７へ送信する場合と比較して、基地局間のインタフェース上で送受信される基地局の運用情報の量を削減することができる。これにより、基地局間インタフェースの帯域を効率的に利用することができる。
【０１１９】
なお、本実施形態においては、第二基地局群の基地局の運用情報を取得する基地局を、第一基地局群の基地局から１つ選択することとしたが、これに限らない。例えば、第二基地局群の基地局の運用情報を取得する基地局を、第一基地局群の中から複数選択することとしても良い。
【０１２０】
また、本実施形態においては、第二基地局群の基地局から第一基地局群の基地局へ基地局間インタフェース確立要求メッセージＭ１００が送信されたときに、第一基地局群の基地局が、第二基地局群の基地局の運用情報を収集することとしたが、これに限らない。例えば、コア網を介した基地局の構成変更メッセージや、異なる無線アクセスシステム間のＲＩＭ（ＲＡＮ  Ｉｎｆｏｒｍａｔｉｏｎ  Ｍａｎａｇｅｍｅｎｔ）メッセージの送受信が行われるときに、第一基地局群の基地局が、第二基地局群の基地局の運用情報を収集することとしても良い。なお、基地局の構成変更メッセージとは、例えば、ＥＮＢ  ＣＯＮＦＩＧＵＲＡＴＩＯＮ  ＴＲＡＮＳＦＥＲ／ＭＭＥ  ＣＯＮＦＩＧＵＲＡＴＩＯＮ  ＴＲＡＮＳＦＥＲ  メッセージである。
【０１２１】
また、本実施形態においては、第一管理装置２７が、基地局間接続構造データベース及び運用情報取得対象基地局データベースの格納及び更新を行うこととしたが、これに限らない。例えば、基地局間接続構造データベース及び運用情報取得対象基地局データベースの格納及び更新の処理の全部または一部を、基地局が行うこととしても良い。この場合、基地局間で、基地局間接続構造データベース及び運用情報取得対象基地局データベースを共有し、基地局自体が、運用情報の収集及び転送の必要性を判定することとしても良い。
【０１２２】
また、本実施形態における第一管理装置２７は、基地局を一次的に管理する基地局管理装置（例えば、ＥＭＳ）としても良いし、基地局を二次的に管理するネットワーク管理装置（例えば、ＮＭＳ）としても良い。
【０１２３】
更に、本実施形態においては、基地局間で基地局の運用情報を送受信することとしたが、これに限らない。すなわち、基地局以外のネットワークノードに、本実施形態を適用することとしてもよい。例えば、本実施形態における基地局の構成及び動作をＥＭＳに適用し、第一管理装置２７の構成及び動作をＮＭＳに適用することとしても良い。この場合、ＥＭＳ間における運用情報の送受信には、例えば、３ＧＰＰで規定されているＩｔｆ−Ｎインタフェースを用いることとしても良い。
【０１２４】
３．第３の実施形態
上述した第２の実施形態で述べたように、第一管理装置２７は、第一基地局群の基地局の運用情報だけでなく、第一基地局群の基地局を介して収集した第二基地局群の基地局の運用情報に基づいて、ネットワークの設定情報を更新する。そのため、収集する運用情報に含まれる情報要素が不足していると、ネットワークの設定情報の更新を適切に行うことができず、ネットワーク特性の改善を効率的に行うことができない。
【０１２５】
そこで、本実施形態においては、管理装置が収集する基地局の運用情報の情報要素について検討する。
【０１２６】
本実施形態における、管理装置が収集する基地局の運用情報の情報要素を、図１５に示す。なお、第一管理装置２７は、第二基地局群の基地局の運用情報を、第一基地局群の基地局を介して収集する。そのため、図１５に示す運用情報は、基地局間インタフェース、及び管理装置と基地局間のインタフェースとを用いて送受信される。
【０１２７】
図１５に示す運用情報には、図１０で示した運用情報の情報要素に加えて、アクティブユーザ数を含めることとした。セルのアクティブユーザ数とは、セルにおいて基地局に接続する通信端末（ユーザ端末）の数である。ここで、アクティブユーザ数は、基地局に同時に接続している通信端末の数を示すものであってもよいし、所定の時間の範囲で接続している通信端末の数を示すものであってもよい。ここで、セルの負荷に対するアクティブユーザ数と、ユーザスループットとには、相関性がある。そのため、運用情報に、セルのアクティブユーザ数の情報を含めることにより、管理装置は、セルの負荷の平準化だけでなく、ユーザのスループットの平準化も考慮して、負荷分散を行うことが出来る。これにより、より効率的に、ネットワークの自律最適化を行うことができる。なお、セルの負荷やアクティブユーザ数は、セル全体の負荷及びアクティブユーザ数としてもよいし、セルにおけるサービス種別毎に分けた値としても良い。あるいは、セルの負荷及びアクティブユーザ数を、ユーザが加入する事業者毎に分けた値としても良い。
【０１２８】
また、図１５に示す運用情報には、セルにおける最大送信電力の値も含めることとした。これにより、管理装置は、基地局が形成するセルの種別（マクロセル、マイクロセル、ピコセル）や、基地局における送信電力の変更処理の実行状況を把握することが可能になる。
【０１２９】
運用情報に含める情報要素の他の例として、例えば、セルにおけるリファレンス信号送信電力の設定値を含めることとしても良い。あるいは、セルにおけるユーザ端末のユーザスループット確立分布を含めこととしても良い。これらの情報を含めることにより、第一管理装置２７は、より効率的なネットワークの自律最適化を行うことができる。
【０１３０】
以上のように、第一管理装置２７は、図１５に示す運用情報に基づいてネットワーク設定情報の行うことにより、より効率的にネットワーク特性の改善を行うことが可能となる。
【０１３１】
また、図１５に示す運用情報の情報要素は、第２の実施形態だけでなく、第１の実施形態で送受信する運用情報にも適用することもできる。
【０１３２】
更に、第１の実施形態乃至第３の実施形態におけるネットワークノード及び管理装置は、移動通信における無線パラメータの自律最適化をおこなう、ＳＯＮシステムにおけるネットワークノード及び管理装置に適用することができる。
【０１３３】
また、第１の実施形態乃至第３の実施形態で述べた通信システムの各動作は、図１、図５で示した通信システムが有する装置や、該装置と通信可能な他の装置のＣＰＵ（Ｃｅｎｔｒａｌ  Ｐｒｏｃｅｓｓｉｎｇ  Ｕｎｉｔ）が制御することとしてもよい。この場合は、各実施形態の機能を実現するソフトウェアのプログラムコードを記録した記録媒体を用意し、該ＣＰＵが、汎用コンピュータが記録媒体に格納されたプログラムコードを読み出すことにより動作することによっても達成されることは、言うまでもない。
【０１３４】
なお、プログラムを供給する記録媒体としては、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、光ディスク、磁気ディスク、不揮発性メモリカードなど、上記プログラムを記憶できるものであれば良い。
【０１３５】
また、第２及び３の実施形態においては、基地局の種類を限定しない。すなわち、基地局は、マクロセルを構成するマクロ基地局、ピコセルを構成するピコ基地局、フェムトセルを構成するフェムト基地局（ＨＮＢ（Ｈｏｍｅ  Ｎｏｄｅ  Ｂ）またはＨｅＮＢ）のいずれであってもよい。
【０１３６】
４．付記
上記の実施形態の一部又は全部は、以下の付記のようにも記載されうるが、以下には限られない。
【０１３７】
（付記１）複数の第一ネットークノードと、前記複数の第一ネットークノードを管理する管理装置と、前記管理装置と異なる他の管理装置が管理する第二ネットワークノードと、を有し、前記管理装置は、前記複数の第一ネットワークノードの中から、前記第二ネットワークノードの運用情報を取得する指定ネットワークノードを選択し、前記指定ネットワークノードは、前記運用情報を前記第二ネットワークノードから取得して、前記運用情報を前記管理装置に送信する、通信システム。
【０１３８】
（付記２）前記複数の第一ネットワークノードの中で、前記指定ネットワークノードとして選択される第一ネットワークノードは１つである、付記１に記載の通信システム。
【０１３９】
（付記３）前記管理装置は、前記指定ネットワークノードに対して選択メッセージを送信し、前記指定ネットワークノードは、前記選択メッセージを受信した場合、前記第二ネットワークノードの運用情報を前記管理装置に送信する、付記１または２に記載の通信システム。
【０１４０】
（付記４）前記管理装置は、前記指定ネットワークノードと、前記第二ネットワークノードと、を対応づけた対応情報を作成する、付記１乃至３のいずれか一つに記載の通信システム。
【０１４１】
（付記５）前記通信システムは、前記第二ネットワークノードを複数有し、前記管理装置は、前記複数の第二ネットワークノードそれぞれの運用情報を取得する指定ネットワークノードを、前記複数の第一ネットワークノードの中からそれぞれ選択する、付記１乃至４のいずれか一つに記載の通信システム。
【０１４２】
（付記６）前記管理装置は、前記複数の第一ネットワークノードと、前記第二のネットワークノードとの接続関係を示す接続情報を参照して、前記複数の第一ネットワークノードの中から、前記指定ネットワークノードを選択する、付記１乃至５のいずれか一つに記載の通信システム。
【０１４３】
（付記７）前記第一ネットワークノードは、前記第二ネットワークノードとの接続関係を変更するとき、前記管理装置に対して、前記接続関係の変更を通知する接続変更メッセージを送信し、前記管理装置は、前記接続変更メッセージに基づいて、前記接続情報を更新する、付記６に記載の通信システム。
【０１４４】
（付記８）前記第二ネットワークノードと、前記指定ネットワークノードとの接続が削除された場合であって、前記第二ネットワークノードと、前記複数の第一ネットワークノードのうち少なくとも一つの第一のネットワークノードとが接続している場合、前記管理装置は、前記第二ネットワークノードと接続している第一ネットワークノードの中から、前記指定ネットワークノードを新たに選択する、付記１乃至７のいずれか一つに記載の通信システム。
【０１４５】
（付記９）前記管理装置は、所定のメッセージが発生したとき、前記指定ネットワークノードの選択を行い、前記所定のメッセージは、インタフェース確立要求メッセージ、基地局構成変更メッセージ、ＲＡＮ情報管理メッセージのうち少なくともいずれか一つである、付記１乃至８のいずれか一つに記載の通信システム。
【０１４６】
（付記１０）前記指定ネットワークノードと、前記管理装置との接続が切断された場合、前記管理装置は、前記管理装置と接続している第一ネットワークノードの中から、新たに、指定ネットワークノードを選択する、付記１乃至９のいずれか一つに記載の通信システム。
【０１４７】
（付記１１）前記運用情報には、前記第二ネットワークノードに接続する通信端末の数、または前記第二ネットワークノードの最大送信電力のうち少なくとも一方が含まれる、付記１乃至９のいずれか一つに記載の通信システム。
【０１４８】
（付記１２）前記第一及び第二ネットワークノードは、移動端末と通信する基地局であり、前記管理装置は、前記基地局を管理する基地局管理装置である、付記１乃至１１のいずれか一つに記載の通信システム。
【０１４９】
（付記１３）前記第一及び第二ネットワークノードは、基地局を管理する基地局管理装置であり、前記管理装置は、前記基地局管理装置を管理するネットワーク管理装置である、付記１乃至１１のいずれか一つに記載の通信システム。
【０１５０】
（付記１４）前記管理装置は更に、更新部を有し、前記更新部は、前記第二ネットワークノードの運用情報に基づいて、前記通信システムのネットワークの設定情報を更新する、付記１乃至１３のいずれか一つに記載の通信システム。
【０１５１】
（付記１５）複数の第一ネットワークノードを管理する管理装置であって、前記複数の第一ネットワークノードの中から、前記管理装置と異なる他の管理装置が管理する第二ネットワークノードの運用情報を取得する指定ネットワークノードを選択する選択部と、前記指定ネットワークノードから、前記第二ネットワークノードの運用情報を受信する通信部と、を有する、管理装置。
【０１５２】
（付記１６）前記複数の第一ネットワークノードの中で、前記指定ネットワークノードとして選択される第一ネットワークノードは１つである、付記１５に記載の管理装置。
【０１５３】
（付記１７）前記管理装置は、前記指定ネットワークノードに対して選択メッセージを送信し、前記指定ネットワークノードは、前記選択メッセージを受信した場合、前記第二ネットワークノードの運用情報を前記管理装置に送信する、付記１５または１６に記載の管理装置。
【０１５４】
（付記１８）前記管理装置は、前記指定ネットワークノードと、前記第二ネットワークノードと、を対応づけた対応情報を作成する、付記１５乃至１７のいずれか一つに記載の管理装置。
【０１５５】
（付記１９）前記他の管理装置は、前記第二ネットワークノードを複数管理し、前記管理装置は、前記複数の第二ネットワークノードそれぞれの運用情報を取得する指定ネットワークノードを、前記複数の第一ネットワークノードの中からそれぞれ選択する、付記１５乃至１８のいずれか一つに記載の管理装置。
【０１５６】
（付記２０）前記管理装置は、前記複数の第一ネットワークノードと、前記第二のネットワークノードとの接続関係を示す接続情報を参照して、前記複数の第一ネットワークノードの中から、前記指定ネットワークノードを選択する、付記１５乃至１９のいずれか一つに記載の管理装置。
【０１５７】
（付記２１）前記第一ネットワークノードは、前記第二ネットワークノードとの接続関係を変更するとき、前記管理装置に対して、前記接続関係の変更を通知する接続変更メッセージを送信し、前記管理装置は、前記接続変更メッセージに基づいて、前記接続情報を更新する、付記２０に記載の管理装置。
【０１５８】
（付記２２）前記第二ネットワークノードと、前記指定ネットワークノードとの接続が削除された場合であって、前記第二ネットワークノードと、前記複数の第一ネットワークノードのうち少なくとも一つの第一のネットワークノードとが接続している場合、前記管理装置は、前記第二ネットワークノードと接続している第一ネットワークノードの中から、前記指定ネットワークノードを新たに選択する、付記１５乃至２１のいずれか一つに記載の管理装置。
【０１５９】
（付記２３）前記管理装置は、所定のメッセージが発生したとき、前記指定ネットワークノードの選択を行い、前記所定のメッセージは、インタフェース確立要求メッセージ、基地局構成変更メッセージ、ＲＡＮ情報管理メッセージのうち少なくともいずれか一つである、付記１５乃２２のいずれか一つに記載の管理装置。
【０１６０】
（付記２４）前記指定ネットワークノードと、前記管理装置との接続が切断された場合、前記管理装置は、前記管理装置と接続している第一ネットワークノードの中から、新たに、指定ネットワークノードを選択する、付記１５乃至２３のいずれか一つに記載の管理装置。
【０１６１】
（付記２５）前記運用情報には、前記第二ネットワークノードに接続する通信端末の数、または前記第二ネットワークノードの最大送信電力のうち少なくとも一方が含まれる、付記１５乃至２４のいずれか一つに記載の管理装置。
【０１６２】
（付記２６）前記第一及び第二ネットワークノードは、移動端末と通信する基地局であり、前記管理装置は、前記基地局を管理する基地局管理装置である、付記１５乃至２５のいずれか一つに記載の管理装置。
【０１６３】
（付記２７）前記第一及び第二ネットワークノードは、基地局を管理する基地局管理装置であり、前記管理装置は、前記基地局管理装置を管理するネットワーク管理装置である、付記１５乃至２５のいずれか一つに記載の管理装置。
【０１６４】
（付記２８）前記管理装置は更に、更新部を有し、前記更新部は、前記第二ネットワークノードの運用情報に基づいて、前記通信システムのネットワークの設定情報を更新する、付記１５乃至２７のいずれか一つに記載の管理装置。
【０１６５】
（付記２９）管理装置が管理する第一ネットワークノードであって、前記第一ネットワークノードが、前記管理装置と異なる他の管理装置が管理する第二ネットワークノードの運用情報を取得する指定ネットワークノードとして選択された場合、前記第二ネットワークノードの運用情報を前記管理装置に送信する通信部を有する、第一ネットワークノード。
【０１６６】
（付記３０）前記複数の第一ネットワークノードの中で、前記指定ネットワークノードとして選択される第一ネットワークノードは１つである、付記２９に記載の第一ネットワークノード。
【０１６７】
（付記３１）前記管理装置は、前記指定ネットワークノードに対して選択メッセージを送信し、前記指定ネットワークノードは、前記選択メッセージを受信した場合、前記第二ネットワークノードの運用情報を前記管理装置に送信する、付記２９または３０に記載の第一ネットワークノード。
【０１６８】
（付記３２）前記管理装置は、前記指定ネットワークノードと、前記第二ネットワークノードと、を対応づけた対応情報を作成する、付記２９乃至３１のいずれか一つに記載の第一ネットワークノード。
【０１６９】
（付記３３）前記他の管理装置は、前記第二ネットワークノードを複数管理し、前記管理装置は、前記複数の第二ネットワークノードそれぞれの運用情報を取得する指定ネットワークノードを、前記複数の第一ネットワークノードの中からそれぞれ選択する、付記２９乃至３２のいずれか一つに記載の第一ネットワークノード。
【０１７０】
（付記３４）前記管理装置は、前記複数の第一ネットワークノードと、前記第二のネットワークノードとの接続関係を示す接続情報を参照して、前記複数の第一ネットワークノードの中から、前記指定ネットワークノードを選択する、付記２９乃至３３のいずれか一つに記載の第一ネットワークノード。
【０１７１】
（付記３５）前記第一ネットワークノードは、前記第二ネットワークノードとの接続関係を変更するとき、前記管理装置に対して、前記接続関係の変更を通知する接続変更メッセージを送信し、前記管理装置は、前記接続変更メッセージに基づいて、前記接続情報を更新する、付記３４に記載の第一ネットワークノード。
【０１７２】
（付記３６）前記第二ネットワークノードと、前記指定ネットワークノードとの接続が削除された場合であって、前記第二ネットワークノードと、前記複数の第一ネットワークノードのうち少なくとも一つの第一のネットワークノードとが接続している場合、前記管理装置は、前記第二ネットワークノードと接続している第一ネットワークノードの中から、前記指定ネットワークノードを新たに選択する、付記２９乃至３５のいずれか一つに記載の第一ネットワークノード。
【０１７３】
（付記３７）前記管理装置は、所定のメッセージが発生したとき、前記指定ネットワークノードの選択を行い、前記所定のメッセージは、インタフェース確立要求メッセージ、基地局構成変更メッセージ、ＲＡＮ情報管理メッセージのうち少なくともいずれか一つである、付記２９乃至３６のいずれか一つに記載の第一ネットワークノード。
【０１７４】
（付記３８）前記指定ネットワークノードと、前記管理装置との接続が切断された場合、前記管理装置は、前記管理装置と接続している第一ネットワークノードの中から、新たに、指定ネットワークノードを選択する、付記２９乃至３７のいずれか一つに記載の第一ネットワークノード。
【０１７５】
（付記３９）前記運用情報には、前記第二ネットワークノードに接続する通信端末の数、または前記第二ネットワークノードの最大送信電力のうち少なくとも一方が含まれる、付記２９乃至３８のいずれか一つに記載の第一ネットワークノード。
【０１７６】
（付記４０）前記第一及び第二ネットワークノードは、移動端末と通信する基地局であり、前記管理装置は、前記基地局を管理する基地局管理装置である、付記２９乃至３９のいずれか一つに記載の第一ネットワークノード。
【０１７７】
（付記４１）前記第一及び第二ネットワークノードは、基地局を管理する基地局管理装置であり、前記管理装置は、前記基地局管理装置を管理するネットワーク管理装置である、付記２９乃至３９のいずれか一つに記載の第一ネットワークノード。
【０１７８】
（付記４２）前記管理装置は更に、更新部を有し、前記更新部は、前記第二ネットワークノードの運用情報に基づいて、前記通信システムのネットワークの設定情報を更新する、付記２９乃至４１のいずれか一つに記載の第一ネットワークノード。
【０１７９】
（付記４３）複数の第一ネットワークノードの中から、前記第二ネットワークノードの運用情報を取得する指定ネットワークノードを選択する工程と、前記指定ネットワークノードが、前記第二ネットワークノードの運用情報を前記管理装置に送信する工程と、前記第二ネットワークノードの運用情報を、前記管理装置が受信する工程と、を有する、通信方法。
【０１８０】
（付記４４）前記複数の第一ネットワークノードの中で、前記指定ネットワークノードとして選択される第一ネットワークノードは１つである、付記４３に記載の通信方法。
【０１８１】
（付記４５）前記指定ネットワークノードに対して選択メッセージを送信する工程と、前記選択メッセージを受信した場合、前記第二ネットワークノードの運用情報を前記管理装置に送信する工程と、を有する、付記４３または４４に記載の通信方法。
【０１８２】
（付記４６）前記指定ネットワークノードと、前記第二ネットワークノードと、を対応づけた対応情報を作成する工程を有する、付記４３乃至４５のいずれか一つに記載の通信方法。
【０１８３】
（付記４７）複数の前記第二ネットワークノードそれぞれの運用情報を取得する指定ネットワークノードを、前記複数の第一ネットワークノードの中からそれぞれ選択する工程を有する、付記４３乃至４６のいずれか一つに記載の通信方法。
【０１８４】
（付記４８）前記複数の第一ネットワークノードと、前記第二のネットワークノードとの接続関係を示す接続情報を参照して、前記複数の第一ネットワークノードの中から、前記指定ネットワークノードを選択する工程を有する、付記４３乃至４７のいずれか一つに記載の通信方法。
【０１８５】
（付記４９）前記第一ネットワークノードと前記第二ネットワークノードとの接続関係が変更するとき、前記接続関係の変更を通知する接続変更メッセージを送信する工程と、前記接続変更メッセージに基づいて、前記接続情報を更新する工程と、を有する、付記４８に記載の通信方法。
【０１８６】
（付記５０）前記第二ネットワークノードと、前記指定ネットワークノードとの接続が削除された場合であって、前記第二ネットワークノードと、前記複数の第一ネットワークノードのうち少なくとも一つの第一のネットワークノードとが接続している場合、前記第二ネットワークノードと接続している第一ネットワークノードの中から、前記指定ネットワークノードを新たに選択する工程を有する、付記４３乃至４９のいずれか一つに記載の通信方法。
【０１８７】
（付記５１）所定のメッセージが発生したとき、前記指定ネットワークノードの選択を行う工程を有し、前記所定のメッセージは、インタフェース確立要求メッセージ
、基地局構成変更メッセージ、ＲＡＮ情報管理メッセージのうち少なくともいずれか一つである、付記４３乃至５０のいずれか一つに記載の通信方法。
【０１８８】
（付記５２）前記指定ネットワークノードと、前記管理装置との接続が切断された場合、前記管理装置と接続している第一ネットワークノードの中から、新たに、指定ネットワークノードを選択する工程を有する、付記４３乃至５１のいずれか一つに記載の通信方法。
【０１８９】
（付記５３）前記運用情報には、前記第二ネットワークノードに接続する通信端末の数、または前記第二ネットワークノードの最大送信電力のうち少なくとも一方が含まれる、付記４３乃至５２のいずれか一つに記載の通信方法。
【０１９０】
（付記５４）前記第一及び第二ネットワークノードは、移動端末と通信する基地局であり、前記管理装置は、前記基地局を管理する基地局管理装置である、付記４３乃至５３のいずれか一つに記載の通信方法。
【０１９１】
（付記５５）前記第一及び第二ネットワークノードは、基地局を管理する基地局管理装置であり、前記管理装置は、前記基地局管理装置を管理するネットワーク管理装置である、付記４３乃至５３のいずれか一つに記載の通信方法。
【０１９２】
（付記５６）前記第二ネットワークノードの運用情報に基づいて、前記通信システムのネットワークの設定情報を更新する工程を有する、付記４３乃至５５のいずれか一つに記載の通信方法。
【０１９３】
（付記５７）複数の第一ネットワークノードの中から、前記第二ネットワークノードの運用情報を取得する指定ネットワークノードを選択する工程と、前記指定ネットワークノードが、前記第二ネットワークノードの運用情報を前記管理装置に送信する工程と、前記第二ネットワークノードの運用情報を、前記管理装置が受信する工程と、をコンピュータに実行させる、プログラム。
【０１９４】
（付記５８）コンピュータに読み取り可能な情報記憶媒体であって、付記５７に記載のプログラムを記録する記録媒体。
【符号の説明】
【０１９５】
１０、２０    通信システム
１１１〜Ｍ    第一ネットークノード
１２    管理装置
１３    第二ネットワークノード
１４、１６、３４、４１    通信部
１５、４３    選択部
２１〜２６、２８〜３１    基地局
２７    第一管理装置
３２    第二管理装置
３３    基地局間インタフェース
３５    呼制御部
３６    基地局識別子管理部
３７    運用情報管理部
３８    第一通信部
３９    第二通信部
４０    第三通信部
４２    分析部
４４    収集部
４５    更新部
４６    第一データベース
４７    第二データベース
４８    第三データベース
【図１】
2014034115.tif 000003
【図２】
2014034115.tif 000004
【図３】
2014034115.tif 000005
【図４】
2014034115.tif 000006
【図５】
2014034115.tif 000007
【図６】
2014034115.tif 000008
【図７】
2014034115.tif 000009
【図８】
2014034115.tif 000010
【図９】
2014034115.tif 000011
【図１０】
2014034115.tif 000012
【図１１】
2014034115.tif 000013
【図１２】
2014034115.tif 000014
【図１３】
2014034115.tif 000015
【図１４】
2014034115.tif 000016
【図１５】
2014034115.tif 000017
【国際調査報告】
2014034115.tif 000018
2014034115.tif 000019